(57)【特許請求の範囲】
【請求項１】
上部全面に画像読取部が設けられ，最下部に設けられた転写紙トレーに収納された転写紙を縦方向の搬送路を備えた画像形成部を経由して画像形成処理すると共に，画像形成済みの転写紙を，上記画像形成部の上部であって，上記画像読取部の下方に設けられた排紙部に排出するように構成され，
上記縦方向の搬送路が，感光体ドラムなどを備えた作像フレームに設けられた固定側の搬送ガイドと，上記固定側の搬送ガイドに対して回動する事により開閉自在の可動側搬送ガイドとの間に形成されてなる画像形成装置において，
上記可動側の搬送ガイドの回動支持点が，上記可動側の搬送ガイドの上記転写紙トレー側の端部に設けられてなると共に，上記可動側の搬送ガイドが，上記作像フレームにより支持されてなることを特徴とする画像形成装置。
【請求項２】
更に，上記可動側の搬送ガイドが閉じられた状態で，上記可動側の搬送ガイドに取り付けられた係合爪と係合して上記可動側の搬送ガイドを支持する係合部が上記作像フレームに取り付けられてなる請求項１記載の画像形成装置。
【請求項３】
上記作像フレームに，更に上記感光体ドラム以外の作像手段が取り付けられてなる請求項１又は２記載の画像形成装置。
【請求項４】
上記作像フレームが，当該画像形成装置の本体フレームを兼ねる請求項１〜３のいずれかに記載の画像形成装置。
【発明の詳細な説明】
【０００１】
【発明の属する技術分野】
本発明は，転写紙の搬送路を開放するための開閉自在の搬送ガイドを具備してなる画像形成装置に関するものである。
【０００２】
【従来の技術】
複写機やプリンタなどの画像形成装置においては，転写紙の搬送路を開放して紙詰まり時の復旧作業等を容易に行えるように，搬送路の片面側を構成する搬送ガイドが開閉自在に取り付けられていることが多い。
ところで，このような従来の画像形成装置では，感光体ドラムや現像装置，定着装置などの作像手段は１又は２以上の作像フレームで支持され，それら作像フレームは装置本体の基礎となるベース部材に固定されていた。更に，上記搬送ガイドについても，上記ベース部材に固定された上記作像フレームによってその回転軸を支持されていた。
【０００３】
【発明が解決しようとする課題】
しかしながら，上記のような従来の画像形成装置では，例えば感光体ドラムと搬送ガイドとが，作像フレーム，ベース部材，及び搬送ガイドという例えば３つの部材を介して位置決めされるため，両者の位置決め精度を確保することが困難であるという問題点があった。間に多くの部材を介するほど，各部材の取り付け誤差の蓄積により位置決め精度は低下する。搬送ガイドと感光体ドラム等の間の位置決め精度が低いと，転写紙を転写部等に正確に搬送することができないため，画質低下や紙詰まりの原因となってしまう。
本発明は，上記事情に鑑みてなされたものであり，その目的とするところは，搬送ガイドと感光体ドラムその他の作像手段との間の位置決め精度を確保することが可能な画像形成装置を提供することである。
【０００４】
【課題を解決するための手段】
上記目的を達成するために本発明は，上部全面に画像読取部が設けられ，最下部に設けられた転写紙トレーに収納された転写紙を縦方向の搬送路を備えた画像形成部を経由して画像形成処理すると共に，上記画像形成済みの転写紙を，上記画像形成部の上部であって，上記画像読取部の下方に設けられた排紙部に排出するように構成され，
上記縦方向の搬送路が，感光体ドラムなどを備えた作像フレームに設けられた固定側の搬送ガイドと，上記固定側の搬送ガイドに対して回動する事により開閉自在の可動側搬送ガイドとの間に形成されてなる画像形成装置において，
上記可動側の搬送ガイドの回動支持点が，上記可動側の搬送ガイドの上記転写紙トレー側の端部に設けられてなると共に，上記可動側の搬送ガイドが，上記感光体ドラムを支持する作像フレームにより支持されてなることを特徴とする画像形成装置として構成されている。
これにより，搬送ガイドと感光体ドラムとが同一の作像フレームにより位置決めされるため，両者間の位置決め精度が高く維持でき，位置決め誤差を原因とする画質低下や紙詰まりの発生を防止できる。
更に，上記可動側の搬送ガイドが閉じられた状態で，上記可動側の搬送ガイドに取り付けられた係合爪と係合して上記可動側の搬送ガイドを支持する係合部についても同様に上記作像フレームに取り付ければ，搬送ガイドを閉じた通常状態での可動側の搬送ガイドと感光体ドラムとの間の位置決め精度を更に高く確保できる。
また，上記作像フレームに，更に上記感光体ドラム以外の作像手段，例えば転写ローラや定着ローラ等を取り付ければ，それら各作像手段を各々個別のフレームで支持する場合と比べて各作像手段間或いは上記可動側の搬送ガイドとの間の位置決め精度が高く確保できると共に，スペース効率を高めることにもなる。
更に，上記作像フレームを，当該画像形成装置の本体フレームとして兼用すれば，装置全体の位置決め精度が高く確保でき，スペース効率も改善される。
【０００５】
【発明の実施の形態】
以下添付図面を参照して，本発明の実施の形態及び実施例につき説明し，本発明の理解に供する。尚，以下の実施の形態及び実施例は本発明を具体化した一例であって，本発明の技術的範囲を限定する性格のものではない。
ここに，図１は本発明の実施の形態に係る複写機Ｚ１の作像フレーム３０の外観を示す図，図２は上記複写機Ｚ１の内部構成の概略を示す図，図３は上記複写機Ｚ１の外観斜視図である。
【０００６】
本実施の形態に係る複写機Ｚ１は，本発明に係る画像形成装置の一例としての小型複写機であって，図３に示すように，上部に原稿読取部０，下部に画像形成部１，その中間に転写紙の排紙部２が形成された構成となっている。
上記複写機Ｚ１の画像形成部１の内部構成について，図２を用いて簡単に説明する。画像形成部１の最下部には，転写紙が格納される転写紙トレー１１が設けられている。複写動作が開始されると，上記転写紙トレー１１上の最上部の転写紙は，給紙ローラ１２及び搬送ローラ対１３，１３によって搬送され，感光体ドラム１４と転写ローラ１５との間を通過する際に，現像装置１８等によって上記感光体ドラム１４上に形成されたトナー像が転写され，更に定着ローラ１６において上記トナー像が定着された後，排紙ローラ１７によって上記排紙部２上に排紙される。
ここで，上記複写機Ｚ１では，作像部の小型化等のため，感光体ドラム１４，現像装置１８，定着ローラ１６等の作像手段が全て図１に示すような一つの作像フレーム３０上で位置決めされている。図１において，１４ａは感光体ドラムの支持点，１５ａは転写ローラの支持点，１７ａは定着ローラの支持点である。更に，上記作像フレーム３０は，複写機Ｚ１の本体フレームを兼ねているため，装置全体の位置決め精度が高く確保でき，スペース効率もよい。
【０００７】
更に，上記複写機Ｚ１では，上記転写紙の搬送中に紙詰まり等が発生した場合に搬送路を開放して復旧作業を容易に行えるよう，上記搬送路の片面側を構成する搬送ガイド２０（図２の網かけ部分）が本体外側に向けて開閉自在に構成されている。ここで，上記搬送ガイド２０の支持点２０ａについても，上記感光体ドラム１４等と同じ上記作像フレーム３０上に形成されている。この支持点２０ａは，図１に示されるごとく，上記搬送ガイド２０の上記転写紙トレー１１（図２参照）側の端部に設けられている。更に，上記搬送ガイド２０には揺動可能な係合爪２０ｂ（図１）が取り付けられており，上記搬送ガイド２０が閉じられた時に上記係合爪２０ｂが係合部３１（図１）と係合して閉状態がロックされるが，上記係合部３１もまた上記作像フレーム３０上に取り付けられている。即ち，搬送ガイド２０の揺動支持点，係合爪２０ｂが係合する係合部３１，及び感光体ドラム１４その他の作像部は全て同一の作像フレーム３０上に支持されているため，搬送ガイド２０と感光体ドラム１４その他の作像部との間の位置決め精度が高く維持でき，位置決め誤差を原因とする画質低下や紙詰まりの発生を防止できる。
【０００８】
【実施例】
上記実施の形態では，図３に示すような小型複写機を例に挙げて説明したが，これに限られるものではなく，開閉自在の搬送ガイドを有するものであれば，大型の複写機やプリンタなど，どのような画像形成装置にも適用可能である。
【０００９】
【発明の効果】
以上説明したように，本発明は，上部全面に画像読取部が設けられ，最下部に設けられた転写紙トレーに収納された転写紙を縦方向の搬送路を備えた画像形成部を経由して画像形成処理すると共に，上記画像形成済みの転写紙を，上記画像形成部の上部であって，上記画像読取部の下方に設けられた排紙部に排出するように構成され，
上記縦方向の搬送路が，感光体ドラムなどを備えた作像フレームに設けられた固定側の搬送ガイドと，上記固定側の搬送ガイドに対して回動する事により開閉自在の可動側搬送ガイドとの間に形成されてなる画像形成装置において，
上記可動側の搬送ガイドの回動支持点が，上記可動側の搬送ガイドの上記転写紙トレー側の端部に設けられてなると共に，上記可動側の搬送ガイドが，上記作像フレームにより支持されてなることを特徴とする画像形成装置として構成されているため，搬送ガイドと感光体ドラムとが同一の作像フレームにより位置決めされることとなり，両者間の位置決め精度が高く維持でき，位置決め誤差を原因とする画質低下や紙詰まりの発生を防止できる。
更に，上記可動側の搬送ガイドが閉じられた状態で，上記可動側の搬送ガイドに取り付けられた係合爪と係合して上記可動側の搬送ガイドを支持する係合部についても同様に上記作像フレームに取り付ければ，上記可動側の搬送ガイドを閉じた通常状態での上記可動側の搬送ガイドと感光体ドラムとの間の位置決め精度を更に高く確保できる。
また，上記作像フレームに，更に上記感光体ドラム以外の作像手段，例えば転写ローラや定着ローラ等を取り付ければ，それら各作像手段を各々個別のフレームで支持する場合と比べて各作像手段間或いは上記可動側の搬送ガイドとの間の位置決め精度が高く確保できると共に，スペース効率を高めることにもなる。
更に，上記作像フレームを，当該画像形成装置の本体フレームとして兼用すれば，装置全体の位置決め精度が高く確保でき，スペース効率も改善される。
【図面の簡単な説明】
【図１】本発明の実施の形態に係る複写機Ｚ１の作像フレーム３０の外観を示す図。
【図２】上記複写機Ｚ１の内部構成の概略を示す図。
【図３】上記複写機Ｚ１の外観斜視図。
【符号の説明】
１４…感光体ドラム
１５…転写ローラ
１６…定着ローラ
１８…現像装置
２０…搬送ガイド
２０ｂ…係合爪
３０…作像フレーム
３１…係合部
【図１】
0003633838.tif 000002
【図２】
0003633838.tif 000003
【図３】
0003633838.tif 000004